(57)【要約】【課題】本発明は、マルチコードチャネルの電力割当方法を提供する。該方法において、各コードチャネルの配置電力を取得することと、各コードチャネルの配置電力によって電力差を計算することと、上記電力差の範囲及び３ＧＰＰプロトコルにおける各コードチャネルの対応する重み係数によって各コードチャネルの電力割当係数を算出することと、上記各コードチャネルの電力割当係数によって総送信電力を計算し及び/又はベースバンドパルスバースト信号を生成することと、を含む。本発明もさらにそれと対応する装置を提供する。本発明によれば、様々なコードチャネルの組み付けによって電力割り当て案を提供することで、各アップリンクコードチャネルの電力を合理的に割り当て、チャネル間の相互干渉を低減させ、送信信号の復調性を向上させ、ＴＤ-ＳＣＤＭＡ端末を３ＧＰＰ  Ｒ５、Ｒ６からＲ７にスムーズにアップグレードするための技術要求に有利であるとともに、技術案を実施しやすく、交換性も良い。【選択図】図２
2013533676.tif 000002
【特許請求の範囲】
【請求項１】
各コードチャネルの配置電力を取得することと、
各コードチャネルの配置電力によって電力差を計算することと、
前記電力差の範囲及び第３世代パートナーシッププロジェクトである３ＧＰＰプロトコルにおける各コードチャネルの対応する重み係数によって、各コードチャネルの電力割当係数を算出することと、
前記各コードチャネルの電力割当係数によって、総送信電力を計算し及び/又はベースバンドパルスバースト信号を生成することと、
を含むことを特徴とするマルチコードチャネルの電力割当方法。
【請求項２】
前記各コードチャネルの電力割当係数によって総送信電力を計算することは、
３ＧＰＰプロトコルにおける各コードチャネルの対応する重み係数によって実際の電力バイアスを算出することと、
前記実際の電力バイアス、各コードチャネルの配置電力及び３ＧＰＰプロトコルにおける設定電力バイアスによって総送信電力を算出することと、
を含むことを特徴とする請求項１に記載のマルチコードチャネルの電力割当方法。
【請求項３】
前記各コードチャネルの電力割当係数によってベースバンドパルスバースト信号を生成することは、
前記各コードチャネルの電力割当係数によって重みを付けて合成し、ベースバンドパルスバースト信号を得ることを含むことを特徴とする請求項１に記載のマルチコードチャネルの電力割当方法。
【請求項４】
2013533676.tif 000026
【請求項５】
2013533676.tif 000027
【請求項６】
2013533676.tif 000028
【請求項７】
2013533676.tif 000029
【請求項８】
2013533676.tif 000030
【請求項９】
各コードチャネルの配置電力を取得するための取得モジュールと、
各コードチャネルの配置電力によって電力差を計算するための電力差計算モジュールと、
前記電力差の範囲及び３ＧＰＰプロトコルにおける各コードチャネルの対応する重み係数によって、各コードチャネルの電力割当係数を算出する電力割当計算モジュールと、
前記各コードチャネルの電力割当係数によって、総送信電力を計算し及び/又はベースバンドパルスバースト信号を生成する処理モジュールと、
を含むことを特徴とするマルチコードチャネルの電力割当装置。
【請求項１０】
前記処理モジュールは、
３ＧＰＰプロトコルにおける各コードチャネルの対応する重み係数によって実際電力バイアスを算出する実際電力バイアス計算モジュールと、
前記実際電力バイアス、各コードチャネルの配置電力及び３ＧＰＰプロトコルにおける設定電力バイアスによって総送信電力を算出する総送信電力計算モジュールと、
を更に含むことを特徴とする請求項９に記載のマルチコードチャネルの電力割当装置。
【請求項１１】
前記処理モジュールは、
前記各コードチャネルの電力割当係数によって重みを付けて合成し、ベースバンドパルスバースト信号を得るための信号生成モジュールを更に含む
ことを特徴とする請求項９に記載のマルチコードチャネルの電力割当装置。
【請求項１２】
2013533676.tif 000031
【請求項１３】
2013533676.tif 000032
【請求項１４】
2013533676.tif 000033
【請求項１５】
2013533676.tif 000034
【請求項１６】
2013533676.tif 000035
【発明の詳細な説明】
【技術分野】
【０００１】
本発明は電力割当技術に係わり、特にはマルチコードチャネルの電力割当方法及び装置に関する。
【背景技術】
【０００２】
３Ｇ通信ネットワークの普及につれて、３種類の３Ｇ標準が同時に応用されるようになっている。その内の時分割同期符号分割多元接続（Time Division-Synchronous Code Division Multiple Access、ＴＤ-ＳＣＤＭＡ）のネットワークでは、端末においてアップリンクスロットによって最高２つのコードチャネルを同時に送信することができる。
【０００３】
ＴＤーＳＣＤＭＡ端末アップリンクマルチコードチャネルの合成について、中国通信業界基準である『２ＧＨz ＴＤ-ＳＣＤＭＡデジタルセルラ移動通信ネットワーク高速アップリンクパケットアクセス（High Speed Uplink Packet Access、ＨＳＵＰＡ）のＵｕインターフェの物理層技術要求  第４部分：スペクトル拡散と変調』第６.６.１節におけるアップリンク物理チャネル合成には、二つの専用物理チャネル（Dedicated Physical Channel、ＤＰＣＨ）が一つの符号化合成トランスポートチャネル（Coded Composite Transport Channel、ＣＣＴｒＣＨ）に合成される技術方法が記載され、図１に示すように、各々のアップリンクＤＰＣＨがそれぞれ重み係数giで重み付けられて、加算合成器によって合成される。物理チャネルの合成後、実際のトランスポートフォーマットコンビネーション（Transport Format Combination、ＴＦＣ）によるゲイン係数βjを用いる。重み係数giの値は、対応するＤＰＣＨにおけるスペクトル拡散係数（Spreading Factor, ＳＦ）によって決められる。
【０００４】
３ＧＰＰ（Ｒ７）ＴＳ２５.２２３プロトコルにＨＳＵＰＡが初めて導入され、その中、強化物理アップリンクチャネル（Ｅ-ＰＵＣＨ）には、四相位相シフトキーイング（Quaternary Phase Shift Keying、 ＱＰＳＫ）と、１６直交振幅変調（16Quadrature Amplitude Modulation、 １６ＱＡＭ）との二種類の変調方式があるため、一つのアップリンクスロットに、例えばＤＰＣＨ（ＱＰＳＫ変調）＋Ｅ-ＰＵＣＨ（１６ＱＡＭ変調）というような変調方式が異なっている二つのコードチャルが存在する場合がある。
【０００５】
具体的な実施過程において、本発明の発明者は、従来の技術においてアップリンクマルチコードチャネルの合成を行うとき、異なるコードチャネルの送信電力差別、及び異なるコードチャネルに対して異なる変調方式を採用することを配慮しなかったことに気がついた。これらはアップリンクコードチャネルの電力割当に影響を及ぼす要素となる。第３世代パートナーシッププロジェクト（The 3rd Generation Partner Project、３ＧＰＰ）にＨＳＵＰＡ技術が導入されてから、アップリンク物理チャネルの種類が増え、同一スロットに重ね合う必要があるアップリンクチャネルがさらに複雑になったが、不合理なチャネル電力割当によるチャネル間の相互干渉の上昇やチャネルの復調性の低下になってしまった。
【発明の開示】
【発明が解決しようとする課題】
【０００６】
本発明は、ＴＤ-ＳＣＤＭＡ/ＨＳＵＰＡ端末アップリンクスロットの複数の異なるスペクトル拡散係数、異なる変調方式、及び異なる送電電力のコードチャネルを合成するときの電力割当やパルス成形などの問題を解決し、二つのコードチャネルの電力差が大きいことで受信が困難になることを減少するように、マルチコードチャネルの電力割当方法及び装置を提供することを目的とする。
【課題を解決するための手段】
【０００７】
本発明によると、マルチコードチャネルの電力割当方法を提供し、当該方法は、
各コードチャネルの配置電力を取得することと、
各コードチャネルの配置電力によって電力差を計算することと、
前記電力差の範囲及び第３世代パートナーシッププロジェクトである３ＧＰＰプロトコルにおける各コードチャネルの対応する重み係数によって、各コードチャネルの電力割当係数を算出することと、
前記各コードチャネルの電力割当係数によって、総送信電力を計算し及び/又はベースバンドパルスバースト信号を生成することと、
を含む。
【０００８】
さらに、前記各コードチャネルの電力割当係数によって総送信電力を計算することは、
３ＧＰＰプロトコルにおける各コードチャネルの対応する重み係数によって実際の電力バイアスを算出することと、
前記実際の電力バイアス、各コードチャネルの配置電力及び３ＧＰＰプロトコルにおける設定電力バイアスによって総送信電力を算出することと、
を含む。
【０００９】
さらに、前記各コードチャネルの電力割当係数によってベースバンドパルスバースト信号を生成することは、
前記各コードチャネルの電力割当係数によって重みを付けて合成し、ベースバンドパルスバースト信号を得ることを含む。
【００１０】
2013533676.tif 000003
【００１１】
2013533676.tif 000004
【００１２】
2013533676.tif 000005
【００１３】
2013533676.tif 000006
【００１４】
2013533676.tif 000007
【００１５】
本発明によると、さらにマルチコードチャネルの電力割当装置を提供し、該装置は、
各コードチャネルの配置電力を取得するための取得モジュールと、
各コードチャネルの配置電力によって電力差を計算するための電力差計算モジュールと、
前記電力差の範囲及び３ＧＰＰプロトコルにおける各コードチャネルの対応する重み係数によって、各コードチャネルの電力割当係数を算出する電力割当計算モジュールと、
前記各コードチャネルの電力割当係数によって、総送信電力の計算し及び/又はベースバンドパルスバースト信号を生成する処理モジュールと
を含む。
【００１６】
さらに、前記処理モジュールは、
３ＧＰＰプロトコルにおける各コードチャネルの対応する重み係数によって実際電力バイアスを算出する実際電力バイアス計算モジュールと、
前記実際電力バイアス、各コードチャネルの配置電力および３ＧＰＰプロトコルにおける設定電力バイアスによって総送信電力を算出する総送信電力計算モジュールと、
を更に含む。
【００１７】
さらに、前記処理モジュールは、
前記各コードチャネルの電力割当係数によって重みを付けて合成し、ベースバンドパルスバースト信号を得るための信号生成モジュールが含まれている。
【００１８】
2013533676.tif 000008
【００１９】
2013533676.tif 000009
【００２０】
2013533676.tif 000010
【００２１】
2013533676.tif 000011
【００２２】
2013533676.tif 000012
【００２３】
本発明はコードチャネルの様々な組合せによって電力割当案を提供することで、各アップリンクコードチャネルの電力を合理的に割り当て、チャネル間の相互干渉を低減させ、送信信号の復調性を向上させ、ＴＤ-ＳＣＤＭＡ端末を３ＧＰＰ  Ｒ５、Ｒ６からＲ７にスムーズにアップグレードするための技術要求に有利であり、技術案を実施しやすく、交換性も良い。
【図面の簡単な説明】
【００２４】
【図１】従来の技術におけるアップリンクの様々なコードチャネルの組合せの構成を示す図である。
【図２】本発明に係わるマルチコードチャネル電力割当方法の一実施例のフローチャートである。
【図３】本発明に係わるマルチコードチャネル電力割当装置の一実施例の構成図である。
【発明を実施するための形態】
【００２５】
本発明の目的の実施、機能の特徴および利点について、図面を参照しながら、実施例を利用して、詳しく説明する。
【００２６】
ここで記述されている具体的な実施例は、本発明を説明するためのものであるが、本発明を限定するものではない。
【００２７】
図２は本発明に係わるマルチコードチャネルの割当方法の一実施例を示すフローチャートである。
図２を利用して、本発明の実施例を詳しく説明する。本実施例には、アップリンク単一コードチャネルＱＰＳＫ又は１６ＱＡＭ変調方式と、アップリンクダブルコードチャネルＱＰＳＫ変調方式と、アップリンクダブルコードチャネル１６ＱＡＭ変調方式およびアップリンクダブルコードチャネルＱＰＳＫ＋１６ＱＡＭ変調方式などの５種類の代表的な実施例が含まれる。
【００２８】
2013533676.tif 000013
【００２９】
2013533676.tif 000014
【００３０】
2013533676.tif 000015
【００３１】
2013533676.tif 000016
【００３２】
ここまで、アップリンクマルチコードチャネルの電力割当係数の計算が全て終了した。各コードチャネルの電力割当係数を算出した後、上記各コードチャネルの電力割当係数によって総送信電力の計算、又はベースバンドパルスバースト信号の生成をすることができる。総送信電力の計算とベースバンドパルスバースト信号の生成は互いに干渉しなく、実際の応用に応じて一つ又は二つを生成し、生成の順番も実際の需要に応じて確定することもできる。
【００３３】
2013533676.tif 000017
【００３４】
2013533676.tif 000018
【００３５】
2013533676.tif 000019
【００３６】
本発明の実際例において、コードチャネルの様々な組合せによって、電力割当案を提供することで、各アップリンクコードチャネルの電力を合理的に割り当て、チャネル間の相互干渉を低減させ、送信信号の復調性を向上させ、ＴＤ-ＳＣＤＭＡ端末を３ＧＰＰ  Ｒ５、Ｒ６からＲ７にスムーズにアップグレードさせる技術要求に有利であるとともに、技術案を実施しやすい、交換性も良い。
【００３７】
図３は本発明に係わるマルチコードチャネル電力割当装置の一実施例の構成を示す図である。
【００３８】
本発明の実施例に係る装置は、
各コードチャネルの配置電力を取得するための取得モジュール３１と、
各コードチャネルの配置電力によって電力差を計算するための電力差計算モジュール３２と、
上記電力差の範囲及び３ＧＰＰプロトコルにおける各コードチャネルの対応する重み係数によって各コードチャネルの電力割当係数を算出する電力割当計算モジュール３３と、
上記各コードチャネルの電力割当係数によって総送信電力を計算し、及び/又は、ベースバンドパルスバースト信号を生成する処理モジュール３４と、
を含む。
【００３９】
さらに、処理モジュール３４は、
３ＧＰＰプロトコルにおける各コードチャネルの対応する重み係数によって、実際の電力バイアスを算出する実際電力バイアス計算モジュール３４１と、
上記実際電力バイアス、各コードチャネルの配置電力及び３ＧＰＰプロトコルにおける設定電力バイアスによって、総送信電力を算出する総送信電力計算モジュール３４２と、
を含む。
【００４０】
さらに、上記処理モジュール３４は、
上記各コードチャネルの電力割当係数によって、重みを付け、合成することによって、ベースバンドパルスバースト信号を得る信号生成モジュール３４３と、を含む。
【００４１】
2013533676.tif 000020
【００４２】
2013533676.tif 000021
【００４３】
2013533676.tif 000022
【００４４】
2013533676.tif 000023
【００４５】
2013533676.tif 000024
【００４６】
2013533676.tif 000025
【００４７】
本発明の実施例によれば、様々なコードチャネルの組合せによって電力割当案を提供することで、各アップリンクコードチャネルの電力を合理的に割り当て、チャネル間の相互干渉を低減させ、送信信号の復調性を向上させる。本発明によれば、ＴＤ-ＳＣＤＭＡ端末を３ＧＰＰ  Ｒ５、Ｒ６からＲ７にスムーズにアップグレードさせるための技術要求に有利であるとともに、技術案を実施しやすく、交換性も良い。
【００４８】
以上は本発明の好適な実施例に過ぎず、本発明の特許の請求範囲に対して制限するものではない。本発明の明細書及び図面の内容によって作成する同等な構成又は同等なプロセス変更、あるいは直接又は間接的に他の関連技術分野に応用することは、ずべて同様に本発明の特許の請求範囲に含まれている。
【図１】
2013533676.tif 000036
【図２】
2013533676.tif 000037
【図３】
2013533676.tif 000038
【国際調査報告】
2013533676.tif 000039
2013533676.tif 000040
2013533676.tif 000041
2013533676.tif 000042
2013533676.tif 000043
2013533676.tif 000044